(57)【要約】【課題】  より確実に定時的な時刻データの修正を可能にする。【解決手段】  ０時から２３時までのいずれかの正時になったならば、１分間隔で３回時刻データを受信し（Ｓ１０３）、３回受信した時刻データの整合がＯＫであるか否かを判断する（Ｓ１０４）。ＯＫである場合には、受信状況記憶テーブルの当該正時に対応する領域に受信状況データを記憶する（Ｓ１０６）。整合性判断がＮＧであった場合には、もう１回時刻データを受信し（Ｓ１０７）、整合性を判断し（Ｓ１０８）、ＯＫでない場合には、６回受信を繰り返す（Ｓ１０９）。Ｓ１０８の整合性判断がＯＫとなった場合には、同様にＳ１０６の処理を実行する。受信状況データに基づき受信できた正時の順番を付与する（Ｓ１１４）。受信時刻設定テーブルのＭ１〜Ｍ３に、１〜３番目の時刻を記憶させ（Ｓ１１５）、Ｍ１〜Ｍ３の時刻に標準時刻電波を受信して時刻データの修正を行う。【選択図】    図４
2006090770.tif 000002
【特許請求の範囲】
【請求項１】
現在時刻データを生成する計時手段と、
時刻データを含む電波を受信して、該時刻データを得る受信手段と、
複数の時刻における前記受信手段の時刻データを含む電波の受信状態を検出する検出手段と、
予め定められた条件に基づいて、前記複数の時刻の中から受信状態が良好な所定数の時刻を時刻修正時刻として設定する設定手段と、
この設定手段により設定された所定数の時刻に、前記受信手段に前記電波を受信させ、前記時刻データが得られた場合に当該時刻データに基づき、前記計時手段の現在時刻データを修正する時刻修正手段と、
を備えることを特徴とする時刻データ受信装置。
【請求項２】
更に、前記所定数の時刻のうち、時刻データが得られない時刻があるか否かを判別する判別手段と、
この判別手段で、前記時刻データが得られない時刻があると判別された際に、次に受信状態が良好な時刻を前記時刻修正時刻として設定する補正手段と
を備えることを特徴とする請求項１記載の時刻データ受信装置。
【請求項３】
前記設定手段は、前記複数の時刻において前記受信手段に電波を受信させ、各時刻における受信状態の優良順位を判定する判定手段と、
この判定手段の判定結果に基づき、前記複数の時刻の中から優良順位の高い所定数の時刻を選択する選択手段と
を有することを特徴とする請求項１又は２記載の時刻データ受信装置。
【請求項４】
前記複数の時刻は、各正時であることを特徴とする請求項１、２又は３記載の時刻データ受信装置。
【請求項５】
前記判別手段は、所定期間内において前記時刻データが得られない時刻があるか否かを判別することを特徴とする請求項２記載の時刻データ受信装置。
【請求項６】
現在時刻データを生成する計時手段と、時刻データを含む電波を受信して、該時刻データを得る受信手段とを備える時刻データ受信装置が有するコンピュータを、
複数の時刻における前記受信手段の時刻データを含む電波の受信状態を検出する検出手段と、
予め定められた条件に基づいて、前記複数の時刻の中から受信状態が良好な所定数の時刻を時刻修正時刻として設定する設定手段と、
この設定手段により設定された所定数の時刻に、前記受信手段に前記電波を受信させ、前記時刻データが得られた場合に当該時刻データに基づき、前記計時手段の現在時刻データを修正する時刻修正手段と
して機能させることを特徴とする時刻データ受信制御プログラム。
【請求項７】
更に、前記所定数の時刻のうち、時刻データが得られない時刻があるか否かを判別する判別手段と、
この判別手段で、前記時刻データが得られない時刻があると判別された際に、次に受信状態が良好な時刻を前記時刻修正時刻として設定する補正手段と
して機能させることを特徴とする請求項６記載の時刻データ受信制御プログラム。
【請求項８】
現在時刻データを生成する計時手段と、時刻データを含む電波を受信して、該時刻データを得る受信手段とを備える時刻データ受信装置の制御方法であって、
複数の時刻における前記受信手段の時刻データを含む電波の受信状態を検出する検出ステップと、
予め定められた条件に基づいて、前記複数の時刻の中から受信状態が良好な所定数の時刻を時刻修正時刻として設定する設定ステップと、
この設定ステップにより設定された所定数の時刻に、前記受信手段に前記電波を受信させ、前記時刻データが得られた場合に当該時刻データに基づき、前記計時手段の現在時刻データを修正する時刻修正ステップと
を含むことを特徴とする時刻データ受信装置の制御方法。
【請求項９】
更に、前記所定数の時刻のうち、時刻データが得られない時刻があるか否かを判別する判別ステップと、
この判別ステップで、前記時刻データが得られない時刻があると判別された際に、次に受信状態が良好な時刻を前記時刻修正時刻として設定する補正ステップと
を含むことを特徴とする請求項８記載の時刻データ受信装置の制御方法。
【発明の詳細な説明】
【技術分野】
【０００１】
本発明は、時刻データ受信装置、時刻データ受信制御プログラム及び時刻データ受信装置の制御方法に関する。
【背景技術】
【０００２】
今日においては、各国において、時刻データを含む標準時刻電波が送出されているとともに、このような時刻データを含む標準時刻電波を受信して、これにより現在時刻データを修正する、いわゆる電波時計が実用化されている。電波時計は、所定時間毎に、内蔵しているアンテナを介して標準時刻電波を受信し、増幅変調して時刻データを解読することにより現在時刻を修正している。しかし、標準時刻電波を常時受信することは電池寿命との関係から好ましくなく、また常時時刻修正を行う必要性もないことから、１日に所定回数標準時刻電波の受信及び時刻修正を行う。このとき、ノイズの少ない夜中に受信することが好ましいことから、例えば午前２時と４時とにおいて、標準時刻電波の受信及び時刻修正を行うようにしている（例えば、特許文献１参照。）。
【特許文献１】特開平９−４３３６８号公報
【発明の開示】
【発明が解決しようとする課題】
【０００３】
しかしながら、ノイズの少ない時間帯が何れの時間帯であるかは一義的に定まるものではなく、電波時計が存在する環境に応じて異なり、夜中が最もノイズが少ない時間帯であるとは限らない。したがって、標準時刻電波の受信時刻が固定的に設定されていると、電波時計の存在環境によっては、長期に渡って標準時刻電波することが不可能な場合が生じ、時刻修正機能を定時的に発揮することが困難となってしまう。
【０００４】
本発明は、かかる従来の課題に鑑みてなされたものであり、より確実に定時的な時刻データの修正を可能にする時刻データ受信装置、時刻データ受信制御プログラム及び時刻データ受信装置の制御方法を提供することを目的とする。
【課題を解決するための手段】
【０００５】
前記課題を解決するために請求項１記載の発明に係る時刻データ受信装置にあっては、現在時刻データを生成する計時手段と、時刻データを含む電波を受信して、該時刻データを得る受信手段と、複数の時刻における前記受信手段の時刻データを含む電波の受信状態を検出する検出手段と、予め定められた条件に基づいて、前記複数の時刻の中から受信状態が良好な所定数の時刻を時刻修正時刻として設定する設定手段と、この設定手段により設定された所定数の時刻に、前記受信手段に前記電波を受信させ、前記時刻データが得られた場合に当該時刻データに基づき、前記計時手段の現在時刻データを修正する時刻修正手段とを備える。
【０００６】
つまり、この係る時刻データ受信装置においては、時刻修正時刻が固定的に設定されているのではなく、複数の時刻における受信手段の時刻データを含む電波の受信状態が検出され、予め定められた条件に基づいて、複数の時刻の中から検出した受信状態が良好な所定数の時刻が時刻修正時刻として設定される。したがって、当該時刻データ受信装置の存在環境に応じて、受信状態が良好な所定数の時刻が可変的に時刻修正時刻として設定されることとなる。そして、この可変的に設定される時刻修正時刻に前記電波を受信させて、得られた時刻データに基づき、計時手段の現在時刻データを修正する。
【０００７】
また、請求項２記載の発明に係る時刻データ受信装置にあっては、更に、前記所定数の時刻のうち、時刻データが得られない時刻があるか否かを判別する判別手段と、この判別手段で、前記時刻データが得られない時刻があると判別された際に、次に受信状態が良好な時刻を前記時刻修正時刻として設定する補正手段とを備える。したがって、時刻データが得られない時刻がある場合には、次に受信状態が良好な時刻が時刻修正時刻として設定されることによって、より確実に時刻修正時刻には時刻データを含む電波を受信することができる。
【０００８】
また、請求項３記載の発明に係る時刻データ受信装置にあっては、前記設定手段は、前記複数の時刻において前記受信手段に電波を受信させ、各時刻における受信状態の優良順位を判定する判定手段と、この判定手段の判定結果に基づき、前記複数の時刻の中から優良順位の高い所定数の時刻を選択する選択手段とを有する。したがって、複数の時刻の中から、精度よく受信状態が良好な所定数の時刻を時刻修正時刻として設定することができる。
【０００９】
また、請求項４記載の発明に係る時刻データ受信装置にあっては、前記複数の時刻は、各正時である。したがって、１日において等分割な２４の時刻から所定数の時刻を時刻修正時刻として設定することができ、これにより、当該時刻データ受信装置の時間的受信環境（２４時間の受信環境）において、最も受信状態が良好な所定数の時刻を時刻修正時刻として設定することができる
【００１０】
また、請求項５記載の発明に係る時刻データ受信装置にあっては、前記判別手段は、所定期間内において前記時刻データが得られない時刻があるか否かを判別する。したがって、期限条件下で前記時刻データが得られない時刻があるか否かの判別がなされることにより、迅速な判別が可能となる。
【００１１】
また、請求項６記載の発明に係る時刻データ受信制御プログラムにあっては、現在時刻データを生成する計時手段と、時刻データを含む電波を受信して、該時刻データを得る受信手段とを備える時刻データ受信装置が有するコンピュータを、複数の時刻における前記受信手段の時刻データを含む電波の受信状態を検出する検出手段と、予め定められた条件に基づいて、前記複数の時刻の中から受信状態が良好な所定数の時刻を時刻修正時刻として設定する設定手段と、この設定手段により設定された所定数の時刻に、前記受信手段に前記電波を受信させ、前記時刻データが得られた場合に当該時刻データに基づき、前記計時手段の現在時刻データを修正する時刻修正手段として機能させる。したがって、前記コンピュータがこのプログラムに従って処理を実行することにより、請求項１記載の発明と同様の作用効果を奏する。
【００１２】
また、請求項７記載の発明に係る時刻データ受信制御プログラムにあっては、更に、前記所定数の時刻のうち、時刻データが得られない時刻があるか否かを判別する判別手段と、この判別手段で、前記時刻データが得られない時刻があると判別された際に、次に受信状態が良好な時刻を前記時刻修正時刻として設定する補正手段として機能させる。したがって、前記コンピュータがこのプログラムに従って処理を実行することにより、請求項２記載の発明と同様の作用効果を奏する。
【００１３】
また、請求項８記載の発明に係る時刻データ受信装置の制御方法にあっては、現在時刻データを生成する計時手段と、時刻データを含む電波を受信して、該時刻データを得る受信手段とを備える時刻データ受信装置の制御方法であって、複数の時刻における前記受信手段の時刻データを含む電波の受信状態を検出する検出ステップと、予め定められた条件に基づいて、前記複数の時刻の中から受信状態が良好な所定数の時刻を時刻修正時刻として設定する設定ステップと、この設定ステップにより設定された所定数の時刻に、前記受信手段に前記電波を受信させ、前記時刻データが得られた場合に当該時刻データに基づき、前記計時手段の現在時刻データを修正する時刻修正ステップとを含む。したがって、記載したステップに従って処理を実行することにより、請求項１記載の発明と同様の作用効果を奏する。
【００１４】
また、請求項９記載の発明に係る時刻データ受信装置の制御方法にあっては、更に、前記所定数の時刻のうち、時刻データが得られない時刻があるか否かを判別する判別ステップと、この判別ステップで、前記時刻データが得られない時刻があると判別された際に、次に受信状態が良好な時刻を前記時刻修正時刻として設定する補正ステップとを含む。したがって、記載したステップに従って処理を実行することにより、請求項２記載の発明と同様の作用効果を奏する。
【発明の効果】
【００１５】
以上説明したように、請求項１、６、８に係る発明によれば、当該時刻データ受信装置の存在環境に応じて、受信状態が良好な所定数の時刻を可変的に時刻修正時刻として設定することができ、この可変的に設定される時刻修正時刻に前記電波を受信させて、得られた時刻データに基づき、計時手段の現在時刻データを修正することができる。よって、当該時刻データ受信装置がどのような時間的受信環境に存在していたとしても、時刻修正時刻には時刻データを含む電波を受信することができ、より確実に定時的な時刻データの修正が可能となる。
【００１６】
また、請求項２、７、９に係る発明によれば、時刻データが得られない時刻がある場合には、次に受信状態が良好な時刻が時刻修正時刻として設定されることから、一層確実に時刻修正時刻には時刻データを含む電波を受信することができ、これにより一層確実に定時的な時刻修正が可能となる。
【発明を実施するための最良の形態】
【００１７】
以下、本発明の一実施の形態を図に従って説明する。図１は、本発明の一実施の形態に係る電波時計の回路構成を示すブロック図である。図示のように、この回路はＣＰＵ１を中心にして構成され、ＣＰＵ１は、ＲＯＭ２に格納されているプログラムに基づき動作することにより、各部を制御するものである。ＲＡＭ３は、ＣＰＵ１が動作する際に使用されるワークエリアが設けられているとともに、後述するように各種データを格納するテーブルが設けられている。
【００１８】
アンテナ４は、所定の場所に設けられている送信所より送信される所定のフォーマットの時刻データを振幅変調した送信所毎に異なる周波数からなる長波標準時刻電波を受信し、これに対応する電気信号にして受信回路５に送出する回路部である。受信回路５は、ＣＰＵ１からの指示に従って、アンテナ４からの前記電気信号から特定周波数のものを選択して受信し、その信号から時刻データを得てＣＰＵ１に送出する。
【００１９】
発振回路６は、常時一定周波数のクロック信号を送出している回路部である。分周回路７は発振回路６からのクロック信号を計数して計数値が１秒に対応する値になる都度、１秒信号を時計計数回路８に送出するとともに、ＣＰＵ１からのプリセット信号を受けると、その計数値が所定値にフリセットされる回路部である。時計計数回路８は、分周回路７からの前記１秒信号を計数して、現在時刻データすなわち現在の日付データ、現在の曜日データ、現在の時データ、現在の分データ、現在の秒データを得て、これをＣＰＵ１に与えるとともに、ＣＰＵ１からの時刻データで、計数している現在時刻データを修正する回路である。
【００２０】
スイッチ部９は、後述するフローチャートにおいて説明するモードを設定するためのスイッチ及び他のスイッチで構成され、各スイッチの操作信号がＣＰＵ１に送出される。表示部１０は、ＣＰＵ１からのデータすなわち時計計数回路８による現在時刻や各種データ等を表示する。
【００２１】
前記ＲＡＭ３には、前記ワークエリアとともに、図２に示す受信状況記憶テーブル３１と、図３に示す受信時刻設定テーブル３２とが設けられている。図２に示す受信状況記憶テーブル３１は、受信時刻記憶領域３１ａ、受信状況データ記憶領域３１ｂ、順位記憶領域３１ｃ及び受信可否記憶領域３１ｄで構成されている。受信時刻記憶領域３１ａには、０時から２３時までの各正時の受信時刻が予め記憶されており、受信状況データ記憶領域３１ｂには、１日目の受信状況を記憶する領域と、２日目の受信状況を記憶する領域とが設けられている。ここで受信状況データとは、前記所定のフォーマットの時刻データを含む標準時刻電波を１分間隔で複数回受信した場合における下記の値である。
３分で受信成功の場合、受信状況データ＝０
４分で受信成功の場合、受信状況データ＝１
５分で受信成功の場合、受信状況データ＝２
６分で受信成功の場合、受信状況データ＝３
受信不成功の場合、受信状況データ＝４
また、順位記憶領域３１ｃには、受信状況データに基づき良好な受信状況順に順位が記憶され、受信可否記憶領域３１ｄには、受信可コード「○」と受信不可コード「×」のいずれかが記憶される。
【００２２】
図３に示す受信時刻設定テーブル３２には、メモリナンバーＭ１、Ｍ２、Ｍ３に対応して、受信時刻記憶領域３２ａと受信失敗連続回数記憶領域３２ｂとが設けられている。受信時刻記憶領域３２ａには、より良好な受信状況である受信時刻が記憶され、受信失敗連続回数記憶領域３２ｂには、当該受信時刻における受信失敗連続回数が記憶される。
【００２３】
以上の構成に係る本実施の形態において、ユーザがスイッチ部９を操作して、受信状況検出モードを設定すると、ＣＰＵ１はＲＯＭ２に格納されているプログラムに基づき、図４のフローチャートに示す処理を実行する。すなわち、０時から２３時までのいずれかの正時になったか否かを判断する（ステップＳ１０１）。正時になったならば、受信回路５を制御して標準時刻電波の受信を開始させ（ステップＳ１０２）、１分間隔で３回時刻データを受信する（ステップＳ１０３）。次に、この１分間隔で３回受信した時刻データの整合がＯＫであるか否か（整合性があるか否か）を判断する（ステップＳ１０４）。このステップＳ１０４における整合性判断としては、例えば受信した標準時刻電波に含まれている時刻データの各桁の値が実際に存在する値か否か、あるいは１分間隔で受信した３つの時刻データが１分単位でずれているか否かを判断する。
【００２４】
そして、このステップＳ１０４での整合性判断がＯＫであって受信成功である場合には、図２に示した受信状況記憶テーブル３１において、当該正時に対応する受信可否記憶領域３１ｄに、受信可能コード「○」を記憶する（ステップＳ１０５）。更に、受信状況記憶テーブル３１の当該正時に対応する受信状況データ記憶領域３１ｂにおいて、今回の受信が１日目であれば１日目の領域に、２日目であれば２日目の領域に受信状況データを記憶する（ステップＳ１０６）。なお、このとき前記のように３分で受信成功の場合、受信状況データ＝０であり、また、ステップＳ１０４→Ｓ１０５→Ｓ１０６と進んで来た場合は、３分で受信成功であることから、受信状況データ記憶領域３１ｂには「０」が記憶されることとなる。
【００２５】
他方、ステップＳ１０４での整合性判断がＯＫでなかった場合には、前回の受信から１分後にもう１回時刻データを受信し（ステップＳ１０７）、受信した時刻データのうち３つのデータの整合性がＯＫであるか否かを判断する（ステップＳ１０８）。なお、このステップＳ１０８における整合性判断も前述したステップＳ１０４の整合性判断と同様の方法で行う。
【００２６】
そして、このステップＳ１０８での整合性判断がＯＫでない場合には、ステップＳ１０３での３回受信を含めて全部で６回時刻データを受信したか否かを判断し（ステップＳ１０９）、全部で６回受信していな場合にはステップＳ１０７からの処理を再度実行する。その結果、ステップＳ１０８の整合性判断がＯＫとなった場合には、前述と同様に、受信状況記憶テーブル３１において、当該正時に対応する受信可否記憶領域３１ｄに、受信可能コード「○」を記憶するとともに（ステップＳ１０５）、受信状況データ記憶領域３１ｂにおいて、今回の受信が１日目であれば１日目の領域に、２日目であれば２日目の領域に受信状況データを記憶する（ステップＳ１０６）。なお、この場合には、４分、５分、６分のいずれかで受信成功であることから、受信状況データとして「１」「２」「３」のいずれが受信状況データ記憶領域３１ｂに記憶されることとなる。
【００２７】
しかし、時刻データを全部で６回受信しても整合性判断がＯＫとならなかった場合には（ステップＳ１０９；ＹＥＳ）、受信状況記憶テーブル３１において、当該正時に対応する受信可否記憶領域３１ｄに、受信不可コード「×」を記憶するとともに（ステップＳ１１０）、受信状況データ記憶領域３１ｂにおいて、今回の受信が１日目であれば１日目の領域に、２日目であれば２日目の領域に受信状況データを記憶する（ステップＳ１１１）。この場合、受信不成功であることから、図２の「２３時」の欄に例示したように、受信状況データとして「４」が受信状況データ記憶領域３１ｂに記憶されるとともに、受信可否記憶領域３１ｄに受信不可コード「×」が記憶されることとなる。
【００２８】
そして、このステップＳ１１１及び前記ステップＳ１０６に続くステップＳ１１２では、受信回路５を制御して時刻データの受信を停止させる。さらに、前記ステップＳ１０２で１回目の受信を開始してから２日間の受信が終了したか否かを判断し（ステップＳ１１３）、２日間の受信が終了するまでステップＳ１０１〜Ｓ１１２の処理を繰り返す。したがって、本実施の形態において２日間に亙って各正時毎に１分間隔で３〜６回の時刻データの受信が実行され、図２に示したように０〜２３時の全てに対応して、受信可否記憶領域３１ｄの「１日目」と「２日目」とに受信状況データ「０」〜「４」が記憶されるとともに、受信可否記憶領域３１ｄに受信可コード「○」又は受信不可コード「×」が記憶されることとなる。
【００２９】
しかる後に、受信状況データに基づき受信できた正時の順番を付与する（ステップＳ１１４）。すなわち、図２に示した受信状況記憶テーブル３１において、「３時」の受信状況データは１、２日目とも「０」であって最も受信状況データの値が良いことから、順位記憶領域３１ｃに順位「１」を記憶する。また、次に受信状況データの値が良い時刻は、「０」「１」である「２時」であることから、順位記憶領域３１ｃに順位「２」を記憶し、以下同様にして順位１〜７を記憶する。なお、受信受信状況データの値が同一である場合には、時刻の早い方を高順位とすればよい。
【００３０】
さらに、受信時刻設定テーブル３２のＭ１〜Ｍ３に、１〜３番目の時刻を記憶させる（ステップＳ１１５）。したがって、図２に示した例の場合、１〜３番目の時刻は「３時」「２時」「４時」であることから、図３（Ａ）に示すように、Ｍ１に「３時」、Ｍ２に「２時」、Ｍ３に「４時」が各々記憶されることとなる。
【００３１】
そして、ユーザがスイッチ部９を操作し、受信状況検出モードを解除して通常モードに戻すと、ＣＰＵ１はＲＯＭ２に格納されているプログラムに基づき、図５のフローチャートに示す処理を実行する。すなわち、Ｍ１〜Ｍ３に記憶されている時刻となったか否かを判断し（ステップＳ２０１）、当該いずれかの時刻になったならば、受信回路５を制御して標準時刻電波を受信する（ステップＳ２０２）。次に、この受信により時刻データが得られたか否かに基づき受信が成功したか否かを判断する（ステップＳ２０３）。受信が成功であった場合には、時刻データが示す時刻に従って、時計計数回路８が計数している現在時刻を修正するとともに（ステップＳ２０４）、受信時刻設定テーブルにおいて今回受信したＭＩに対応する受信失敗連続回数記憶領域３２ｂをリセットして、不成功連続回数「０」とする（ステップＳ２０５）。
【００３２】
また、ステップＳ２０３での判断の結果、受信が不成功であった場合には、受信時刻設定テーブルにおいて今回受信したＭＩに対応する受信失敗連続回数記憶領域３２ｂの値インクリメントして、「不成功回数＋１」とする（ステップＳ２０６）。次に、受信失敗連続回数記憶領域３２ｂの値である不成功回数が特定数を超えたか否かを判断し（ステップＳ２０７）、特定数以下である場合にはＥＮＤに進む。しかし、不成功回数が特定数を超えた場合には、前記順位記憶領域３１ｃに記憶されている順位に基づきＭＩに、次に受信状況が良好な時刻を記憶させる（ステップＳ２０８）。
【００３３】
すなわち、図３に示したように、Ｍ３「４時」の連続不成功回数が「３」であって、前記ステップＳ２０７における特定数が、２日（所定期間）連続して不成功であることを示す「２」であったとすると、「３＞２」となってステップＳ２０７の判断はＹＥＳとなる。また、この時点で受信時刻設定テーブル３２には、順位１〜３の時刻が記憶されていることから、図２に示した受信状況記憶テーブル３１において、次に受信状況が良好な時刻は、４位の「１時」である。したがって、図３（Ａ）に示したＭ３に記憶されていた「４時」に代えて、同図（Ｂ）に示すように、Ｍ３の受信時刻記憶領域３２ａを「１時」に書き換える。また、受信時刻設定テーブルにおいて今回ステップＳ２０８で書き換えたＭＩに対応する受信失敗連続回数記憶領域３２ｂをリセットして、不成功連続回数「０」とする（ステップＳ２０９）。
【００３４】
したがって、Ｍ１〜Ｍ３には、時刻データの受信不成功回数が特定数となる毎に、次に受信状況が良好な時刻が記憶され、新たな時刻を含むＭ１〜Ｍ３の各時刻で１日３回の標準時刻電波が受信されて、時刻修正がなされることとなる。
【００３５】
なお、本実施の形態では、図４に示した受信状況検出モード処理においては、受信した時刻データに基づき時刻修正を行わないようにしたが、ステップＳ１０４の判断がＹＥＳであって整合性がある場合には、受信した時刻データで時刻修正を行うようにしてもよい。これにより、受信状況検出モードが設定されている２日間においても、時刻修正を行うことができる。
【図面の簡単な説明】
【００３６】
【図１】本発明の一実施の形態を示すブロック回路図である。
【図２】ＲＡＭに設けられた受信状況記憶テーブルの概念図である。
【図３】ＲＡＭに設けられた受信時刻設定テーブルの概念図である。
【図４】受信状況検出モード時の処理手順を示すフローチャートである。
【図５】通常モード時の処理手順を示すフローチャートである。
【符号の説明】
【００３７】
１      ＣＰＵ
２      ＲＯＭ
３      ＲＡＭ
４      アンテナ
５      受信回路
８      時計計数回路
９      スイッチ部
１０    表示部
３１    受信状況記憶テーブル
３１ａ  受信時刻記憶領域
３１ｂ  受信状況データ記憶領域
３１ｃ  順位記憶領域
３１ｄ  受信可否記憶領域
３２    受信時刻設定テーブル
３２ａ  受信時刻記憶領域
３２ｂ  受信失敗連続回数記憶領域
【図１】
2006090770.tif 000003
【図２】
2006090770.tif 000004
【図３】
2006090770.tif 000005
【図４】
2006090770.tif 000006
【図５】
2006090770.tif 000007